(57)【要約】【課題】簡易な構成で電源回路の負荷を軽くすることを課題とする。【解決手段】点灯制御回路１０に、パルス状電圧Ｖｉｎを入力して第一光源（８１）を点灯制御するパルス状の第一制御電圧ＤＵＴＹ１を生成するための第一トランジスタＴＲ１と、該第一トランジスタＴＲ１の入力部（ベース）に一端を接続した抵抗回路Ｒ１と、該抵抗回路Ｒ１の他端に一端を接続し他端を接地したコンデンサＣ１と、抵抗回路Ｒ１の他端からの第二パルス状電圧Ｖ２を入力して第二光源（８２）を点灯制御するパルス状の第二制御電圧ＤＵＴＹ２を生成するための第二トランジスタＴＲ２とを設ける。【選択図】図４
2012204789.tif 000002
【特許請求の範囲】
【請求項１】
第一光源及び第二光源を含む複数の光源をパルス状電圧に基づいて点灯制御する点灯制御回路において、
前記パルス状電圧を入力して前記第一光源を点灯制御するパルス状の第一制御電圧を生成するための第一トランジスタと、
該第一トランジスタの入力部に一端を接続した抵抗回路と、
該抵抗回路の他端に一端を接続し他端を接地したコンデンサと、
前記抵抗回路の他端からの第二パルス状電圧を入力して前記第二光源を点灯制御するパルス状の第二制御電圧を生成するための第二トランジスタとを備えることを特徴とする点灯制御回路。
【請求項２】
前記複数の光源に第三光源が含まれ、
前記第二トランジスタの入力部に一端を接続した第二抵抗回路と、
該第二抵抗回路の他端に一端を接続し他端を接地した第二コンデンサと、
前記第二抵抗回路の他端からの第三パルス状電圧を入力して前記第三光源を点灯制御するパルス状の第三制御電圧を生成するための第三トランジスタとをさらに備えることを特徴とする請求項１に記載の点灯制御回路。
【請求項３】
前記第一光源がアノードに前記第一制御電圧に従った駆動電圧を入力する発光ダイオードの直列回路に含まれており、
前記第一トランジスタは、前記パルス状電圧のラインにベースを接続し、電源ラインにコレクタを接続し、エミッタを前記第一制御電圧の生成部としたｎｐｎ形トランジスタとされ、
前記第一制御電圧の生成部に一端を接続し他端を接地した出力側抵抗回路が設けられていることを特徴とする請求項１又は請求項２に記載の点灯制御回路。
【請求項４】
前記第二光源がアノードに前記第二制御電圧に従った駆動電圧を入力する第二発光ダイオードの直列回路に含まれており、
前記第二トランジスタは、前記第二パルス状電圧のラインにベースを接続し、電源ラインにコレクタを接続し、エミッタを前記第二制御電圧の生成部としたｎｐｎ形トランジスタとされ、
前記第二制御電圧の生成部に一端を接続し他端を接地した第二出力側抵抗回路が設けられていることを特徴とする請求項１〜請求項３のいずれか一項に記載の点灯制御回路。
【請求項５】
前記第三光源がアノードに前記第三制御電圧に従った駆動電圧を入力する第三発光ダイオードの直列回路に含まれており、
前記第三トランジスタは、前記第三パルス状電圧のラインにベースを接続し、電源ラインにコレクタを接続し、エミッタを前記第三制御電圧の生成部としたｎｐｎ形トランジスタとされ、
前記第三制御電圧の生成部に一端を接続し他端を接地した第三出力側抵抗回路が設けられていることを特徴とする請求項２に記載の点灯制御回路。
【請求項６】
アノードにパルス状の制御電圧に従った駆動電圧を入力する複数の発光ダイオード直列回路を構成する発光ダイオードをパルス状電圧に基づいて点灯制御する表示装置において、
前記複数の発光ダイオード直列回路に第一発光ダイオードの直列回路及び第二発光ダイオードの直列回路が含まれており、
前記パルス状電圧のラインにベースを接続し、電源ラインにコレクタを接続し、エミッタを、前記第一発光ダイオードを点灯制御するパルス状の第一制御電圧の生成部とした第一ｎｐｎ形トランジスタと、
該第一ｎｐｎ形トランジスタのベースに一端を接続した抵抗回路と、
該抵抗回路の他端に一端を接続し他端を接地したコンデンサと、
前記抵抗回路の他端にベースを接続し、電源ラインにコレクタを接続し、エミッタを、前記第二発光ダイオードを点灯制御するパルス状の第二制御電圧の生成部とした第二ｎｐｎ形トランジスタと、
前記第一ｎｐｎ形トランジスタのエミッタに一端を接続し他端を接地した第一出力側抵抗回路と、
前記第二ｎｐｎ形トランジスタのエミッタに一端を接続し他端を接地した第二出力側抵抗回路とを備え、
前記パルス状の第一制御電圧に従った駆動電圧を前記第一発光ダイオードの直列回路のアノードに入力することにより該第一発光ダイオードを点灯制御し、
遅延した前記パルス状の第二制御電圧に従った駆動電圧を前記第二発光ダイオードの直列回路のアノードに入力することにより該第二発光ダイオードを点灯制御することを特徴とする表示装置。
【発明の詳細な説明】
【技術分野】
【０００１】
本発明は、複数の光源をパルス状電圧に基づいて点灯制御する点灯制御回路、及び、表示装置に関する。
【背景技術】
【０００２】
近年の液晶テレビジョンは、バックライトにＬＥＤ（発光ダイオード）が用いられるようになっている。このような液晶テレビジョンには、ＬＥＤ直列回路のアノードにパルス状の制御電圧を入力してＬＥＤを点灯制御するものがある。
【０００３】
また、特許文献１には、２本の蛍光管を一定の周期で点滅制御する液晶表示装置が開示されている。
特許文献２には、３本の冷陰極管をＰＷＭ（Pulse Width Modulation）調光信号に従って駆動する液晶テレビジョンが開示されている。
特許文献３には、２本のバックライトを所定デューティの調光信号に従って点灯する液晶表示装置が開示されている。
【先行技術文献】
【特許文献】
【０００４】
【特許文献１】特開２００８−２１０８１５号公報
【特許文献２】特開２００６−７８９７４号公報
【特許文献３】特開平１１−３０３９号公報
【特許文献４】特開２０１０−３３０５６号公報
【発明の概要】
【発明が解決しようとする課題】
【０００５】
液晶テレビジョン等の表示装置は、コストダウンが求められている。上述した技術は、電源回路の負荷を軽くする構成が複雑であるため、十分なコストダウンに繋がらない。
【０００６】
なお、特許文献４に記載の液晶表示装置は、ＬＥＤ光源に加える電圧をなまらせるのではなく、ＬＥＤ光源に流れる電流をなまらせるものである。むろん、発光ブロック毎に加えるパルス状電圧をずらす示唆や、発光ブロック毎に流れるＬＥＤ電流の波形をずらす示唆は、特許文献４に無い。
【０００７】
以上を鑑み、本発明は、簡易な構成で電源回路の負荷を軽くする目的を有している。
【課題を解決するための手段】
【０００８】
上記目的を達成するため、本発明は、第一光源及び第二光源を含む複数の光源をパルス状電圧に基づいて点灯制御する点灯制御回路において、
前記パルス状電圧を入力して前記第一光源を点灯制御するパルス状の第一制御電圧を生成するための第一トランジスタと、
該第一トランジスタの入力部に一端を接続した抵抗回路と、
該抵抗回路の他端に一端を接続し他端を接地したコンデンサと、
前記抵抗回路の他端からの第二パルス状電圧を入力して前記第二光源を点灯制御するパルス状の第二制御電圧を生成するための第二トランジスタとを備える態様を有している。
【発明の効果】
【０００９】
請求項１、請求項６に係る発明によれば、簡易な構成で電源回路の負荷を軽くすることができる。
請求項２に係る発明では、電源回路の負荷をさらに軽くすることができる。
請求項３〜請求項５に係る発明では、簡易な回路で電源回路の負荷を軽くすることができる。
【図面の簡単な説明】
【００１０】
【図１】本発明の一実施形態に係る点灯制御回路１０を採用した表示装置１の要部の電気回路構成を例示するブロック図である。
【図２】表示装置１の画面ＤＰ１の分割例を示す図である。
【図３】点灯制御回路１０で生成される制御電圧ＤＵＴＹｉを用いて光源（８０）を点灯する回路の要部を例示する回路図である。
【図４】点灯制御回路１０の回路を周辺部とともに例示する回路図である。
【図５】パルス状電圧Ｖｉｎ及び第一制御電圧ＤＵＴＹ１を例示する図である。
【図６】第二パルス状電圧Ｖ２及び第二制御電圧ＤＵＴＹ２を例示する図である。
【図７】変形例に係る点灯制御回路１０の回路を周辺部とともに示す回路図である。
【発明を実施するための形態】
【００１１】
（１）点灯制御回路を含む表示装置の概略：
図１，３，４に例示する表示装置１は、電源回路２、基準パルス生成回路ＰＧ１、点灯制御回路１０を含むバックライト駆動回路３、発光ダイオード直列回路ＢＬｉ、を備える。点灯制御回路１０は、複数の光源（８０）をパルス状電圧Ｖｉｎに基づいて点灯制御する。
【００１２】
本発明を適用可能な表示装置には、液晶テレビジョンやプラズマテレビジョンといった薄型表示装置、受像管表示装置、記録再生装置が一体化されたテレビジョン、テレビジョン放送を受信しないディスプレイ、等が含まれる。前記記録再生装置には、ハードディスク記録再生装置、ＢＤ（Blue-ray Disc）記録再生装置、ＤＶＤ（Digital Versatile Disk）記録再生装置、ビデオデッキ、等が含まれる。
【００１３】
図４等に例示される点灯制御回路は、トランジスタ（ＴＲ１，ＴＲ２）、抵抗回路Ｒ１、コンデンサＣ１、を備える。第一トランジスタＴＲ１は、パルス状電圧Ｖｉｎを入力して第一光源（８１）を点灯制御するパルス状の第一制御電圧ＤＵＴＹ１を生成するためのトランジスタである。抵抗回路Ｒ１の一端は、第一トランジスタＴＲ１の入力部（ベース）に接続されている。コンデンサＣ１は、一端が抵抗回路Ｒ１の他端に接続され、他端が接地されている。第二トランジスタＴＲ２は、抵抗回路Ｒ１の他端からの第二パルス状電圧Ｖ２を入力して第二光源（８２）を点灯制御するパルス状の第二制御電圧ＤＵＴＹ２を生成するためのトランジスタである。
本態様は、抵抗回路Ｒ１及びコンデンサＣ１がパルス状電圧Ｖｉｎをなまらせる。第二トランジスタＴＲ２は、なまった第二パルス状電圧Ｖ２を入力し、図５，６に例示されるように、パルス状の第一制御電圧ＤＵＴＹ１よりも遅延したパルス状の第二制御電圧ＤＵＴＹ２を生成する。これにより、第一光源（８１）の点灯期間と第二光源（８２）の点灯期間がずれるので、簡易な構成で電源回路の負荷が軽くなる。
【００１４】
前記複数の光源（８０）に第三光源（８３）が含まれる場合、第二抵抗回路Ｒ２と第二コンデンサＣ２と第三トランジスタＴＲ３が点灯制御回路に設けられてもよい。第二抵抗回路Ｒ２の一端は、第二トランジスタＴＲ２の入力部（ベース）に接続されてもよい。第二コンデンサＣ２は、一端が第二抵抗回路Ｒ２の他端に接続され、他端が接地されてもよい。第三トランジスタＴＲ３は、第二抵抗回路Ｒ２の他端からの第三パルス状電圧Ｖ３を入力して第三光源（８３）を点灯制御するパルス状の第三制御電圧ＤＵＴＹ３を生成するためのトランジスタとされてもよい。
本態様は、第二抵抗回路Ｒ２及び第二コンデンサＣ２が第二パルス状電圧Ｖ２をなまらせる。第三トランジスタＴＲ３は、なまった第三パルス状電圧Ｖ３を入力し、パルス状の第二制御電圧ＤＵＴＹ２よりも遅延したパルス状の第三制御電圧ＤＵＴＹ３を生成する。これにより、第二光源（８２）の点灯期間と第三光源（８３）の点灯期間がずれるので、簡易な構成で電源回路の負荷がさらに軽くなる。
【００１５】
前記第一光源（８１）がアノードに前記第一制御電圧ＤＵＴＹ１に従った駆動電圧を入力する発光ダイオード８０の直列回路に含まれる場合、前記第一トランジスタＴＲ１は、前記パルス状電圧Ｖｉｎのラインにベースを接続し、電源ライン（Ｖｃｃ）にコレクタを接続し、エミッタを前記第一制御電圧ＤＵＴＹ１の生成部としたｎｐｎ形トランジスタとされてもよい。前記第一制御電圧ＤＵＴＹ１の生成部（エミッタ）に一端を接続し他端を接地した出力側抵抗回路Ｒ１１が点灯制御回路に設けられてもよい。
本態様は、簡易な回路で電源回路の負荷を軽くすることができる。
【００１６】
前記第二光源（８２）がアノードに前記第二制御電圧ＤＵＴＹ２に従った駆動電圧を入力する第二発光ダイオード８２の直列回路ＢＬ２に含まれる場合、前記第二トランジスタＴＲ２は、前記第二パルス状電圧Ｖ２のラインにベースを接続し、電源ライン（Ｖｃｃ）にコレクタを接続し、エミッタを前記第二制御電圧ＤＵＴＹ２の生成部としたｎｐｎ形トランジスタとされてもよい。前記第二制御電圧ＤＵＴＹ２の生成部に一端を接続し他端を接地した第二出力側抵抗回路Ｒ１２が点灯制御回路に設けられてもよい。
本態様も、簡易な回路で電源回路の負荷を軽くすることができる。
【００１７】
前記第三光源（８３）がアノードに前記第三制御電圧ＤＵＴＹ３に従った駆動電圧を入力する第三発光ダイオード８３の直列回路ＢＬ３に含まれる場合、前記第三トランジスタＴＲ３は、前記第三パルス状電圧Ｖ３のラインにベースを接続し、電源ライン（Ｖｃｃ）にコレクタを接続し、エミッタを前記第三制御電圧ＤＵＴＹ３の生成部としたｎｐｎ形トランジスタとされてもよい。前記第三制御電圧ＤＵＴＹ３の生成部に一端を接続し他端を接地した第三出力側抵抗回路Ｒ１３が点灯制御回路に設けられてもよい。
本態様も、簡易な回路で電源回路の負荷を軽くすることができる。
【００１８】
本発明は、アノードにパルス状の制御電圧ＤＵＴＹｉに従った駆動電圧を入力する複数の発光ダイオード直列回路ＢＬｉを構成する発光ダイオード８０をパルス状電圧Ｖｉｎに基づいて点灯制御するバックライト駆動回路３において、
前記複数の発光ダイオード直列回路ＢＬｉに第一ＬＥＤ（第一発光ダイオード）８１の直列回路ＢＬ１及び第二ＬＥＤ（第二発光ダイオード）８２の直列回路ＢＬ２が含まれており、
前記パルス状電圧Ｖｉｎのラインにベースを接続し、電源ライン（Ｖｃｃ）にコレクタを接続し、エミッタを、前記第一ＬＥＤ８１を点灯制御するパルス状の第一制御電圧ＤＵＴＹ１の生成部とした第一ｎｐｎ形トランジスタ（ＴＲ１）と、
該第一ｎｐｎ形トランジスタ（ＴＲ１）のベースに一端を接続した抵抗回路Ｒ１と、
該抵抗回路Ｒ１の他端に一端を接続し他端を接地したコンデンサＣ１と、
前記抵抗回路Ｒ１の他端にベースを接続し、電源ライン（Ｖｃｃ）にコレクタを接続し、エミッタを、前記第二ＬＥＤ８２を点灯制御するパルス状の第二制御電圧ＤＵＴＹ２の生成部とした第二ｎｐｎ形トランジスタ（ＴＲ２）と、
前記第一ｎｐｎ形トランジスタ（ＴＲ１）のエミッタに一端を接続し他端を接地した第一出力側抵抗回路Ｒ１１と、
前記第二ｎｐｎ形トランジスタ（ＴＲ２）のエミッタに一端を接続し他端を接地した第二出力側抵抗回路Ｒ１２とを備え、
前記パルス状の第一制御電圧ＤＵＴＹ１に従った駆動電圧を前記第一ＬＥＤ８１の直列回路ＢＬ１のアノードに入力することにより該第一ＬＥＤ８１を点灯制御し、
遅延した前記パルス状の第二制御電圧ＤＵＴＹ２に従った駆動電圧を前記第二ＬＥＤ８２の直列回路ＢＬ２のアノードに入力することにより該第二ＬＥＤ８２を点灯制御する態様を有している。
【００１９】
なお、上述したトランジスタ（ＴＲ１〜ＴＲ３）は、単一のトランジスタ素子のみならず、複数のトランジスタ素子の組合せにより構成されてもよい。上述した抵抗回路（Ｒ１，Ｒ２，Ｒ１１〜Ｒ１３）は、単一の抵抗素子のみならず、複数の抵抗素子の組合せにより構成されてもよい。上述したコンデンサ（Ｃ１，Ｃ２）は、単一のコンデンサのみならず、複数のコンデンサの組合せにより構成されてもよい。
第一の素子が他の第二の素子と接続されることには、第一の素子が第二の素子と直接接続されること、中間に他の第三の素子を介在させて第一の素子が第二の素子とが間接的に接続されること、のいずれも含まれる。
【００２０】
本技術の目的の一つは、ＬＥＤ（発光ダイオード）バックライトの制御電圧ＤＵＴＹｉの位相を系統毎にずらすことにある。ＤＵＴＹｉの位相をずらすことで、電源トランスやスイッチングＩＣ（集積回路）の負荷が軽くなり、電源トランスのコストダウンとなる。また、ドライバーＩＣの制御電圧ＤＵＴＹの出力チャンネルが限られていても、点灯制御回路が外付けの回路であるため、ＤＵＴＹの位相をずらすことができる。具体例として、ＬＥＤのＯＮ，ＯＦＦを行っているＤＵＴＹ比のパルス波をＲＣ回路でなまらせ、制御電圧ＤＵＴＹｉを遅延させることによって、系統毎にＤＵＴＹの位相をずらすことができる。これにより、カソード側の電源トランスにかかる負荷を軽減することができ、多系統にわたるバックライトでも最大負荷の低いトランスを使用することができ、コストダウンが可能となる。また、ＤＵＴＹの出力チャンネルが少ないドライバーＩＣでも多系統のＤＵＴＹの位相をずらすことができるため、コストの低いドライバーＩＣを使用可能である。
【００２１】
（２）点灯制御回路を含む表示装置の構成：
図１に例示する電源回路２は、一次側電源回路Ｓ１、電源トランスＴＳ１、整流平滑回路ＲＥ１、を備えている。
一次側電源回路Ｓ１は、外部の商用交流電源といった交流電源の交流を入力し、この交流を整流回路で整流し、整流された電流を平滑回路で平滑し、平滑された電流をスイッチング回路によりオンオフさせて、電源トランスＴＳ１の一次巻線に入力する。一次側電源回路Ｓ１には、公知のスイッチングレギュレータの一次側回路等を用いることができる。電源トランスＴＳ１は、例えば、鉄心等のコアに一次巻線及び二次巻線を設けた磁気回路で構成され、一次電圧を二次電圧に変換する。整流平滑回路ＲＥ１は、例えば、整流回路（ダイオードＤＲ１）と平滑回路（コンデンサＣＲ１）とを有し、二次電圧を整流し平滑して直流電圧を生成する。図１では、ダイオードＤＲ１のアノードが電源トランスＴＳ１に接続され、ダイオードＤＲ１のカソードがコンデンサＣＲ１の一端に接続され、コンデンサＣＲ１の他端が接地されている。ダイオードＤＲ１とコンデンサＣＲ１との接続部は、直流の電源電圧Ｖｃｃの供給部とされている。
【００２２】
図１に例示する基準パルス生成回路ＰＧ１は、電源ライン（Ｖｃｃ）に接続され、電源電圧Ｖｃｃに基づいて、複数のＬＥＤ（発光ダイオード、光源）８０を点灯制御する基となるパルス状電圧Ｖｉｎを生成する。図５に例示するように、パルス状電圧Ｖｉｎは、設定されたデューティ比Ｔ１／Ｔallのパルス状の電圧とされている。基準パルス生成回路ＰＧ１には、公知のパルス生成回路やドライバーＩＣ等を用いることができる。
【００２３】
図２は、表示装置１の画面ＤＰ１に対して直下型ＬＥＤバックライトを領域分けした例を示している。ここで、表示装置１が液晶表示装置である場合、背後にバックライトが配置された液晶パネルが画面ＤＰ１となる。図２の例では、画面ＤＰ１が３×３の領域Ａ１〜Ａ９に分けられ、各領域Ａ１〜Ａ９に発光ダイオード直列回路ＢＬｉ（図３参照）が配置されていることが示されている。点灯制御回路１０が３種類の制御電圧ＤＵＴＹ１〜ＤＵＴＹ３を生成する場合、例えば、領域Ａ１，Ａ４，Ａ７のＬＥＤ８０を第一制御電圧ＤＵＴＹ１に従って点灯制御し、領域Ａ２，Ａ５，Ａ８のＬＥＤ８０を第二制御電圧ＤＵＴＹ２に従って点灯制御し、領域Ａ３，Ａ６，Ａ９のＬＥＤ８０を第三制御電圧ＤＵＴＹ３に従って点灯制御することができる。むろん、領域Ａ１〜Ａ９と制御電圧ＤＵＴＹｉは様々な組合せが可能であり、ドライバーＩＣが複数の制御電圧ＤＵＴＹを生成する場合には各制御電圧ＤＵＴＹについて位相をずらした制御電圧ＤＵＴＹｉと発光ダイオード直列回路ＢＬｉとで組合せを行ってもよい。
【００２４】
図３は、点灯制御回路１０で生成される制御電圧ＤＵＴＹｉを用いて発光ダイオード直列回路ＢＬｉのＬＥＤ８０を点灯する回路の要部を例示している。
ＬＥＤバーとも呼ばれる発光ダイオード直列回路ＢＬｉは、ＬＥＤ８０を直列接続した回路とされ、アノード側が昇圧回路ＢＯｉの電圧出力部（ダイオードＤＢｉのカソード）に接続され、カソード側が接地されている。むろん、隣り合うＬＥＤ８０，８０は、アノードとカソードとが接続されている。発光ダイオード直列回路ＢＬｉと昇圧回路ＢＯｉの組合せは、例えば、制御電圧ＤＵＴＹｉ毎に設けられる。図４の例では、第一ＬＥＤ（第一発光ダイオード、第一光源）８１の直列回路ＢＬ１に昇圧回路ＢＯ１が組み合わせられ、第二ＬＥＤ（第二発光ダイオード、第二光源）８２の直列回路ＢＬ２に昇圧回路ＢＯ２が組み合わせられ、第三ＬＥＤ（第三発光ダイオード、第三光源）８３の直列回路ＢＬ３に昇圧回路ＢＯ３が組み合わせられていることが示されている。
【００２５】
本昇圧回路ＢＯｉは、コイル（インダクタ）ＬＢｉ、スイッチング素子ＱＢｉ、ダイオードＤＢｉ、コンデンサＣＢｉ、を備え、電源電圧Ｖｃｃを昇圧する。図３では、コイルＬＢｉの一端が電源ライン（Ｖｃｃ）に接続され、スイッチング素子ＱＢｉのゲート（入力部）が制御電圧ＤＵＴＹｉのラインに接続され、スイッチング素子ＱＢｉのドレイン及びダイオードＤＢｉのアノードがコイルＬＢｉの他端に接続され、スイッチング素子ＱＢｉのソースが接地され、コンデンサＣＢｉの一端がダイオードＤＢｉのカソード（電圧出力部）に接続され、コンデンサＣＢｉの他端が接地されている。むろん、昇圧回路ＢＯｉには、公知の種々の回路を用いることができる。
【００２６】
図４は、点灯制御回路１０の回路を周辺部とともに例示している。図４では、領域Ａ１，Ａ２，Ａ３にそれぞれＬＥＤ直列回路ＢＬ１，ＢＬ２，ＢＬ３が配置されていることが示されている。
本点灯制御回路１０は、トランジスタ（ＴＲ１〜ＴＲ３）、抵抗回路（Ｒ１，Ｒ２）、コンデンサ（Ｃ１，Ｃ２）、出力側抵抗回路Ｒ１１〜Ｒ１３、が設けられている。
【００２７】
トランジスタ（ＴＲ１〜ＴＲ３）は、電源ライン（Ｖｃｃ）にコレクタを接続したｎｐｎ形トランジスタとされている。
第一トランジスタ（第一ｎｐｎ形トランジスタ）ＴＲ１は、パルス状電圧Ｖｉｎ（図５参照）のラインにベースを接続し、エミッタをパルス状の第一制御電圧ＤＵＴＹ１の生成部としている。すなわち、第一トランジスタＴＲ１のベースは、パルス状電圧Ｖｉｎの入力部である。第一制御電圧ＤＵＴＹ１は、第一ＬＥＤ８１を点灯制御するための制御電圧である。
【００２８】
第二トランジスタ（第二ｎｐｎ形トランジスタ）ＴＲ２は、抵抗回路Ｒ１の他端からの第二パルス状電圧Ｖ２（図６参照）のラインにベースを接続し、エミッタをパルス状の第二制御電圧ＤＵＴＹ２の生成部としている。すなわち、第二トランジスタＴＲ２のベースは、第二パルス状電圧Ｖ２の入力部である。第二制御電圧ＤＵＴＹ２は、第二ＬＥＤ８２を点灯制御するための制御電圧である。
第三トランジスタ（第三ｎｐｎ形トランジスタ）ＴＲ３は、第二抵抗回路Ｒ２の他端からの第三パルス状電圧Ｖ３のラインにベースを接続し、エミッタをパルス状の第三制御電圧ＤＵＴＹ３の生成部としている。すなわち、第三トランジスタＴＲ３のベースは、第三パルス状電圧Ｖ３の入力部である。第三制御電圧ＤＵＴＹ３は、第三ＬＥＤ８３を点灯制御するための制御電圧である。
【００２９】
抵抗回路Ｒ１の一端は、第一トランジスタＴＲ１のベースに接続されている。抵抗回路Ｒ１の他端は、第二トランジスタＴＲ２のベース及びコンデンサＣ１の一端に接続されている。コンデンサＣ１の他端は、グランドに接続されている。第一制御電圧ＤＵＴＹ１からの第二制御電圧ＤＵＴＹ２の遅延時間を長くするためには抵抗回路Ｒ１の抵抗値を大きくしたりコンデンサＣ１の容量を大きくしたりすればよく、前記遅延時間を短くするためには抵抗回路Ｒ１の抵抗値を小さくしたりコンデンサＣ１の容量を小さくしたりすればよいと推測される。また、抵抗回路Ｒ１の抵抗値を変えることによる遅延時間の変化の方が、コンデンサＣ１の容量を変えることによる遅延時間の変化よりも大きいと推測される。
【００３０】
第二抵抗回路Ｒ２の一端は、第二トランジスタＴＲ２のベースに接続されている。第二抵抗回路Ｒ２の他端は、第三トランジスタＴＲ３のベース及び第二コンデンサＣ２の一端に接続されている。第二コンデンサＣ２の他端は、グランドに接続されている。第二制御電圧ＤＵＴＹ２からの第三制御電圧ＤＵＴＹ３の遅延時間を長くするためには第二抵抗回路Ｒ２の抵抗値を大きくしたり第二コンデンサＣ２の容量を大きくしたりすればよく、前記遅延時間を短くするためには第二抵抗回路Ｒ２の抵抗値を小さくしたり第二コンデンサＣ２の容量を小さくしたりすればよい。また、第二抵抗回路Ｒ２の抵抗値を変えることによる遅延時間の変化の方が、第二コンデンサＣ２の容量を変えることによる遅延時間の変化よりも大きいと推測される。
【００３１】
第一出力側抵抗回路Ｒ１１の一端は、第一トランジスタＴＲ１のエミッタ及び昇圧回路ＢＯ１の入力部に接続されている。第一出力側抵抗回路Ｒ１１の他端は、グランドに接続されている。
第二出力側抵抗回路Ｒ１２の一端は、第二トランジスタＴＲ２のエミッタ及び昇圧回路ＢＯ２の入力部に接続されている。第二出力側抵抗回路Ｒ１２の他端は、グランドに接続されている。
第三出力側抵抗回路Ｒ１３の一端は、第三トランジスタＴＲ３のエミッタ及び昇圧回路ＢＯ３の入力部に接続されている。第三出力側抵抗回路Ｒ１３の他端は、グランドに接続されている。
【００３２】
（３）点灯制御回路の動作、作用、及び、効果：
次に、図１〜６を参照して、点灯制御回路１０の動作、作用、及び、効果を説明する。
図５の上段に示すようなパルス状電圧Ｖｉｎが第一トランジスタＴＲ１のベースに入力されるとき、Ｔ０期間のパルス状電圧Ｖｉｎは第一トランジスタＴＲ１の閾電圧Ｖｔｈよりも低いので、第一トランジスタＴＲ１のコレクタ−ベースは遮断状態となる。これにより、第一トランジスタＴＲ１のエミッタは、他端を接地した第一出力側抵抗回路Ｒ１１によりローレベルの電位となる。このとき、増幅回路ＢＯ１の出力部もローレベルの電位となるため、直列回路ＢＬ１の第一ＬＥＤ８１は、消灯状態となる。一方、Ｔ１期間のパルス状電圧Ｖｉｎは第一トランジスタＴＲ１の閾電圧Ｖｔｈよりも高いので、第一トランジスタＴＲ１のコレクタ−ベースは導通状態となる。これにより、第一トランジスタＴＲ１のエミッタは、電源電圧Ｖｃｃによりハイレベルの電位となる。このとき、増幅回路ＢＯ１の出力部もハイレベルの電位となるため、直列回路ＢＬ１の第一ＬＥＤ８１は、点灯状態となる。
以上より、第一トランジスタＴＲ１のエミッタから得られる第一制御電圧ＤＵＴＹ１は、図５の下段に示すように、パルス状電圧Ｖｉｎにほぼ同期したパルス状の電圧信号となる。
【００３３】
また、パルス状電圧Ｖｉｎは、抵抗回路Ｒ１を介して第二トランジスタＴＲ２のベースに入力される。ここで、他端を接地したコンデンサＣ１の一端が抵抗回路Ｒ１の他端側に接続されているので、第二トランジスタＴＲ２のベースに入力される第二パルス状電圧Ｖ２は、図６の上段に示すように、なまった波形となる。第二パルス状電圧Ｖ２が第二トランジスタＴＲ２の閾電圧Ｖｔｈよりも低いとき、第二トランジスタＴＲ２のコレクタ−ベースは遮断状態となる。これにより、第二トランジスタＴＲ２のエミッタは、他端を接地した第二出力側抵抗回路Ｒ１２によりローレベルの電位となる。このとき、増幅回路ＢＯ２の出力部もローレベルの電位となるため、直列回路ＢＬ２の第二ＬＥＤ８２は、消灯状態となる。一方、第二パルス状電圧Ｖ２が第二トランジスタＴＲ２の閾電圧Ｖｔｈよりも高いとき、第二トランジスタＴＲ２のコレクタ−ベースは導通状態となる。これにより、第二トランジスタＴＲ２のエミッタは、電源電圧Ｖｃｃによりハイレベルの電位となる。このとき、増幅回路ＢＯ２の出力部もハイレベルの電位となるため、直列回路ＢＬ２の第二ＬＥＤ８２は、点灯状態となる。
【００３４】
ここで、第二パルス状電圧Ｖ２の波形がなまっているので、第二トランジスタＴＲ２のエミッタから得られる第二制御電圧ＤＵＴＹ２は、図６の下段に示すように、第一制御電圧ＤＵＴＹ１から時間Δｔの遅延が生じる。これにより、直列回路ＢＬ１の第一ＬＥＤ８１と直列回路ＢＬ２の第二ＬＥＤ８２との点灯期間がずれる。従って、本態様は、簡易な構成で電源回路の負荷を軽くすることができる。
【００３５】
さらに、第二パルス状電圧Ｖ２は、第二抵抗回路Ｒ２を介して第三トランジスタＴＲ３のベースに入力される。ここで、他端を接地した第二コンデンサＣ２の一端が第二抵抗回路Ｒ２の他端側に接続されているので、第三トランジスタＴＲ３のベースに入力される第三パルス状電圧Ｖ３は、第二パルス状電圧Ｖ２よりもさらになまった波形となる。第三パルス状電圧Ｖ３が第三トランジスタＴＲ３の閾電圧Ｖｔｈよりも低いとき、第三トランジスタＴＲ３のコレクタ−ベースは遮断状態となる。これにより、第三トランジスタＴＲ３のエミッタは、他端を接地した第三出力側抵抗回路Ｒ１３によりローレベルの電位となる。このとき、増幅回路ＢＯ３の出力部もローレベルの電位となるため、直列回路ＢＬ３の第三ＬＥＤ８３は、消灯状態となる。一方、第三パルス状電圧Ｖ３が第三トランジスタＴＲ３の閾電圧Ｖｔｈよりも高いとき、第三トランジスタＴＲ３のコレクタ−ベースは導通状態となる。これにより、第三トランジスタＴＲ３のエミッタは、電源電圧Ｖｃｃによりハイレベルの電位となる。このとき、増幅回路ＢＯ３の出力部もハイレベルの電位となるため、直列回路ＢＬ３の第三ＬＥＤ８３は、点灯状態となる。
【００３６】
ここで、第三パルス状電圧Ｖ３の波形がさらになまっているので、第三トランジスタＴＲ３のエミッタから得られる第三制御電圧ＤＵＴＹ３は、第二制御電圧ＤＵＴＹ２から遅延が生じる。これにより、直列回路ＢＬ２の第二ＬＥＤ８２と直列回路ＢＬ３の第三ＬＥＤ８３との点灯期間がずれる。従って、本態様は、簡易な構成で電源回路の負荷をさらに軽くすることができる。
【００３７】
なお、第一制御電圧ＤＵＴＹ１、第二制御電圧ＤＵＴＹ２、第三制御電圧ＤＵＴＹ３の順に遅延させることをより確実とするため、第二抵抗回路Ｒ２の抵抗値を抵抗回路Ｒ１の抵抗値よりも大きくしてもよい。
【００３８】
（４）変形例：
図７に示すように、第三トランジスタＴＲ３と第二抵抗回路Ｒ２と第二コンデンサＣ２と第三出力側抵抗回路Ｒ１３が無い点灯制御回路１０でも、簡易な構成で電源回路の負荷を軽くする効果が得られる。
むろん、図４に例示した点灯制御回路１０において、さらに第三トランジスタＴＲ３と第二抵抗回路Ｒ２と第二コンデンサＣ２と第三出力側抵抗回路Ｒ１３と同様の第四トランジスタと第三抵抗回路と第三コンデンサと第四出力側抵抗回路を設けてもよい。この場合、簡易な構成で電源回路の負荷がさらに軽くなる。
また、昇圧回路の後段に点灯制御回路を設けても、簡易な構成で電源回路の負荷が軽くなる。
【００３９】
なお、トランジスタ（ＴＲ１〜ＴＲ３）をｎｐｎ形トランジスタとするのは必須ではない。
むろん、従属請求項に係る構成要件を有しておらず独立請求項に係る構成要件のみからなる点灯制御回路、バックライト駆動回路、表示装置、等でも、上述した基本的な作用、効果が得られる。
【００４０】
以上説明したように、本発明によると、種々の態様により、簡易な構成で電源回路の負荷を軽くする技術等を提供することができる。
【００４１】
また、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４２】
１…表示装置、３…バックライト駆動回路、
１０…点灯制御回路、
８０…ＬＥＤ（発光ダイオード、光源）、８１…ＬＥＤ（第一発光ダイオード、第一光源）、
８２…ＬＥＤ（第二発光ダイオード、第二光源）、
８３…ＬＥＤ（第三発光ダイオード、第三光源）、
ＢＬ１…第一発光ダイオードの直列回路、ＢＬ２…第二発光ダイオードの直列回路、
ＢＬ３…第三発光ダイオードの直列回路、ＢＬｉ…発光ダイオード直列回路、
Ｃ１…コンデンサ、Ｃ２…第二コンデンサ、
Ｒ１…抵抗回路、Ｒ２…第二抵抗回路、
Ｒ１１…第一出力側抵抗回路、Ｒ１２…第二出力側抵抗回路、
Ｒ１３…第三出力側抵抗回路、
ＴＲ１…第一トランジスタ（第一ｎｐｎ形トランジスタ）、
ＴＲ２…第二トランジスタ（第二ｎｐｎ形トランジスタ）、
ＴＲ３…第三トランジスタ（第三ｎｐｎ形トランジスタ）。
【図１】
2012204789.tif 000003
【図２】
2012204789.tif 000004
【図３】
2012204789.tif 000005
【図４】
2012204789.tif 000006
【図５】
2012204789.tif 000007
【図６】
2012204789.tif 000008
【図７】
2012204789.tif 000009